(57)【要約】【課題】絵文字の意味内容を正確に伝えることができる文字情報作成装置等を実現する。【解決手段】本発明の携帯電話機１は、絵文字の入力を受け付ける入力受付部２１と、１つの絵文字に対し複数の装飾情報を記憶している装飾情報記憶部３１と、入力受付部２１で受け付けた絵文字に対応して装飾情報記憶部３１に記憶されている複数の装飾情報から、１つの装飾情報を取得する装飾情報取得部４３と、装飾情報取得部４３が取得した装飾情報が示す装飾を上記絵文字に施した装飾絵文字を含む文字情報を作成する文字情報作成部４４と、を備えている。これにより、一義的な装飾絵文字を作成することができるので、絵文字の意味内容を正確に伝えることができる。【選択図】図１
2010287961.tif 000002
【特許請求の範囲】
【請求項１】
文字コードによって示される絵文字を含む文字情報を作成する文字情報作成装置であって、
絵文字の入力を受け付ける入力受付手段と、
１つの絵文字に対し複数の装飾情報を記憶している記憶部と、
上記入力受付手段で受け付けた絵文字に対応して上記記憶部に記憶されている複数の装飾情報から、１つの装飾情報を取得する装飾情報取得手段と、
上記装飾情報取得手段が取得した装飾情報が示す装飾を上記絵文字に施した装飾絵文字を含む文字情報を作成する文字情報作成手段と、を備えていることを特徴とする文字情報作成装置。
【請求項２】
上記装飾情報取得手段は、上記入力受付手段が受け付けた絵文字に対応して上記記憶部に記憶されている複数の装飾情報が示す装飾をそれぞれ施した装飾絵文字を一覧表示し、ユーザによって選択された装飾絵文字に用いられた装飾情報を取得することを特徴とする請求項１に記載の文字情報作成装置。
【請求項３】
上記装飾情報は、絵文字にルビを付けるものであることを特徴とする請求項１または２に記載の文字情報作成装置。
【請求項４】
上記装飾情報は、絵文字の色を変更するものであることを特徴とする請求項１〜３のいずれか１項に記載の文字情報作成装置。
【請求項５】
上記装飾情報は、１つの絵文字を装飾して得られる１または複数の装飾絵文字を作成するための作成方法をそれぞれ示すパラメータを含むものであり、
上記装飾情報取得手段は、上記入力受付手段で受け付けた絵文字に対応する装飾情報が示す装飾のうち、特定のパラメータが示す作成方法による装飾を施した装飾絵文字のみを一覧表示することを特徴とする請求項２に記載の文字情報作成装置。
【請求項６】
上記パラメータは、上記作成方法として、絵文字に付けるルビの言語を指定したものであることを特徴とする請求項５に記載の文字情報作成装置。
【請求項７】
上記パラメータは、上記作成方法として、絵文字に対しルビを付けるか、または絵文字の色を変更するかのいずれかを指定するものであることを特徴とする請求項５に記載の文字情報作成装置。
【請求項８】
上記入力受付手段は、絵文字に加えて、絵文字以外の文字の入力を受け付けるものであり、
上記記憶部は、絵文字以外の文字によって構成された文字列と、絵文字および該絵文字に対応する上記複数の装飾情報のうちの少なくとも１つとを対応付けて記憶しており、
上記装飾情報取得手段は、上記入力受付手段が受け付けた文字列に対応する装飾情報を上記記憶部から取得し、
上記文字情報作成手段は、上記装飾情報取得手段が取得した装飾情報が示す装飾を、上記入力受付手段が受け付けた文字列に対応する絵文字に施した装飾絵文字を含む文字情報を作成することを特徴とする請求項１に記載の文字情報作成装置。
【請求項９】
上記文字情報作成手段が作成した、装飾絵文字を含む文字情報を外部の装置へ送信する送信部を備えていることを特徴とする請求項１〜８のいずれか１項に記載の文字情報作成装置。
【請求項１０】
請求項１〜９のいずれか１項に記載の文字情報作成装置を動作させる文字情報作成装置制御プログラムであって、コンピュータを上記の各手段として機能させるための文字情報作成装置制御プログラム。
【請求項１１】
請求項１０に記載の文字情報作成装置制御プログラムを記録したコンピュータ読み取り可能な記録媒体。
【請求項１２】
文字コードによって示される絵文字を含む文字情報を作成する文字情報作成装置の制御方法であって、
上記文字情報作成装置の記憶部には、１つの絵文字に対し複数の装飾情報が記憶されており、
絵文字の入力を受け付ける入力受付ステップと、
上記入力受付ステップで受け付けた絵文字に対応して上記記憶部に記憶されている複数の装飾情報から、１つの装飾情報を取得する装飾情報取得ステップと、
上記装飾情報取得ステップで取得した装飾情報が示す装飾を上記絵文字に施した装飾絵文字を含む文字情報を作成する文字情報作成ステップと、を含むことを特徴とする文字情報作成装置の制御方法。
【発明の詳細な説明】
【技術分野】
【０００１】
本発明は、絵文字を含む文字情報を作成する文字情報作成装置、文字情報作成装置の制御方法、文字情報作成装置制御プログラムおよび該プログラムを記録したコンピュータ読み取り可能な記録媒体に関するものである。
【背景技術】
【０００２】
従来から、電子メールやチャット等のように、文字を使用したコミュニケーションを可能とするアプリケーションが知られている。このようなアプリケーションでは、ユーザが入力した文字を送受信するとともに、受信した文字を表示することでコミュニケーションを実現している。また、平仮名、カタカナ、漢字といった通常の文字に加えて、絵文字を使用できるものもある。さらに、単なる絵文字ではなく、視覚的な効果を高めた特殊な絵文字を表示させたり、絵文字を通常の文字と同様に並べて表示するのではなく、表示画面上の任意の位置に、大きさ等を変化させて表示させるものもある。
【０００３】
例えば、特許文献１には、電子メールとともに、電子メール内の文字、絵文字、およびアイコン等の表示位置や大きさなどを変化させる付加情報を送受信することが可能な通信端末が開示されている。この通信端末では、送信側において、文字や絵文字などを付加した電子メールを送信するとき、その文字や絵文字を時間的・空間的に変化させることができる付加情報を添付して送信し、受信側では、電子メールを受信したときに、その電子メールに含まれている付加情報に基づいて文字、絵文字、およびアイコン等の位置や大きさなどを変えて、いわゆるアニメーションとして表示画面上に表示させている。
【先行技術文献】
【特許文献】
【０００４】
【特許文献１】特開２００５−１９０００７号公報（２００５年７月１４日公開）
【発明の概要】
【発明が解決しようとする課題】
【０００５】
電子メール等のコミュニケーションで使用されている絵文字は、通常の文字と異なり、それ自体が表す意味内容はユーザによって自由に解釈されている。よって、電子メールの受信者は絵文字の前後の文脈等から絵文字の意味内容を解釈している。しかしながら、前後関係の情報が不足している等の場合、受信者は絵文字の意味内容を誤って解釈してしまう可能性がある。
【０００６】
例えば、図１７に示すような“太陽”の絵文字は、 「太陽」、「晴れ」、「暑い」等、複数の意味内容が考えられる。そして、図１７に示すように「今日は（ここに、“太陽”の絵文字）ね。」というような文章で使用された場合、“太陽”の絵文字は、「暑い」とも「晴れ」とも解釈できるので、この文章だけでは、受信者は、送信者がどちらの意味内容で絵文字を使用したのかが分からない。
【０００７】
また、異なる国の人とのコミュニケーションに絵文字を使用した場合、絵文字のデザインに対する意識の相違や、慣習等の違いによって、絵文字の解釈が異なる場合もあり得る。
【０００８】
そして、特許文献１に開示された技術では、絵文字の動きや大きさに変化を持たせた表示をさせることができるが、送信者が絵文字で表現したい意味内容を確実に受信者に伝えられるとは限らず、上述した問題点を解決することはできない。
【０００９】
本発明は、上記の問題点に鑑みなされたものであり、その目的は、絵文字の意味内容を正確に伝えることができる文字情報作成装置等を実現することにある。
【課題を解決するための手段】
【００１０】
上記課題を解決するために、本発明に係る文字情報作成装置は、文字コードによって示される絵文字を含む文字情報を作成する文字情報作成装置であって、絵文字の入力を受け付ける入力受付手段と、１つの絵文字に対し複数の装飾情報を記憶している記憶部と、上記入力受付手段で受け付けた絵文字に対応して上記記憶部に記憶されている複数の装飾情報から、１つの装飾情報を取得する装飾情報取得手段と、上記装飾情報取得手段が取得した装飾情報が示す装飾を上記絵文字に施した装飾絵文字を含む文字情報を作成する文字情報作成手段と、を備えていることを特徴としている。
【００１１】
また、本発明に係る文字情報作成装置の制御方法は、文字コードによって示される絵文字を含む文字情報を作成する文字情報作成装置の制御方法であって、上記文字情報作成装置の記憶部には、１つの絵文字に対し複数の装飾情報が記憶されており、絵文字の入力を受け付ける入力受付ステップと、上記入力受付ステップで受け付けた絵文字に対応して上記記憶部に記憶されている複数の装飾情報から、１つの装飾情報を取得する装飾情報取得ステップと、上記装飾情報取得ステップで取得した装飾情報が示す装飾を上記絵文字に施した装飾絵文字を含む文字情報を作成する文字情報作成ステップと、を含むことを特徴としている。
【００１２】
上記の構成または方法によれば、絵文字に対して、複数の装飾情報のうちの１つの装飾情報が示す装飾が施された装飾絵文字を含む文字情報が作成される。
【００１３】
よって、複数の装飾情報がそれぞれ、当該絵文字の異なる意味内容を示すものである場合、該複数の装飾情報のいずれかを用いて、絵文字の作成者が意図する意味内容を示す装飾を絵文字に対し施せば、絵文字の読み手に対し、絵文字の意味内容を一義的に解釈することができる装飾絵文字を提供することができる。
【００１４】
したがって、絵文字の作成者と読み手との間で絵文字の意味内容の解釈が異なることにより、絵文字の意味内容が誤って伝わるという弊害を防止することができる。
【００１５】
例えば、「晴れ」、「暑い」、「昼」等の複数の意味内容を含んでいる“太陽”の絵文字を「晴れ」という意味で用いた場合を考える。この場合、“太陽”の絵文字に対し、「晴れ」という文字をルビとして表示する装飾を施せば、“太陽”の絵文字を見たユーザが、該“太陽”の絵文字の意味内容を、「太陽」や「暑い」というような、入力したユーザが意図した意味内容と異なる意味内容に解釈するという弊害を防止することができる。
【００１６】
本発明に係る文字情報作成装置では、上記装飾情報取得手段は、上記入力受付手段が受け付けた絵文字に対応して上記記憶部に記憶されている複数の装飾情報が示す装飾をそれぞれ施した装飾絵文字を一覧表示し、ユーザによって選択された装飾絵文字に用いられた装飾情報を取得するものであってもよい。
【００１７】
上記の構成によれば、装飾情報取得手段は、入力受付手段が受け付けた絵文字に対応する複数の装飾がそれぞれ施された複数の装飾絵文字を、ユーザによって選択可能に一覧表示する。これにより、ユーザは一覧表示された装飾絵文字から所望の装飾が施された装飾絵文字を選択することができる。よって、ユーザは、複数の装飾絵文字の中から所望の装飾を容易に見つけ出すことができる。
【００１８】
本発明に係る文字情報作成装置では、上記装飾情報は、絵文字にルビを付けるものであってもよい。
【００１９】
上記の構成によれば、絵文字にルビが付けられるので、該絵文字の意味内容をルビによって明確にすることができる。
【００２０】
本発明に係る文字情報作成装置では、上記装飾情報は、絵文字の色を変更するものであってもよい。
【００２１】
上記の構成によれば、絵文字の色が変更されるので、絵文字の意味内容を絵文字の色によって表すことができる。
【００２２】
本発明に係る文字情報作成装置では、上記装飾情報は、１つの絵文字を装飾して得られる１または複数の装飾絵文字を作成するための作成方法をそれぞれ示すパラメータを含むものであり、上記装飾情報取得手段は、上記入力受付手段で受け付けた絵文字に対応する装飾情報が示す装飾のうち、特定のパラメータが示す作成方法による装飾を施した装飾絵文字のみを一覧表示するものであってもよい。
【００２３】
上記の構成によれば、装飾情報取得手段は、特定のパラメータが示す作成方法による装飾が施された装飾絵文字のみを一覧表示する。よって、特定のパラメータが示す作成方法によらない装飾が施された装飾絵文字も含めて一覧表示を行う場合と比較して、一覧表示する装飾絵文字を減らすことができる。したがって、ユーザは、所望の装飾が施された装飾絵文字を、より容易に選択することができる。
【００２４】
本発明に係る文字情報作成装置では、上記パラメータは、上記作成方法として、絵文字に付けるルビの言語を指定したものであってもよい。
【００２５】
上記の構成によれば、特定の言語のルビが付けられた絵文字のみを一覧表示させることができる。
【００２６】
本発明に係る文字情報作成装置では、上記パラメータは、上記作成方法として、絵文字に対しルビを付けるか、または絵文字の色を変更するかのいずれかを指定するものであってもよい。
【００２７】
上記の構成によれば、ルビを付けられている絵文字のみ、または色が変更されている絵文字のみを一覧表示させることができる。
【００２８】
本発明に係る文字情報作成装置では、上記入力受付手段は、絵文字に加えて、絵文字以外の文字の入力を受け付けるものであり、上記記憶部は、絵文字以外の文字によって構成された文字列と、絵文字および該絵文字に対応する上記複数の装飾情報のうちの少なくとも１つとを対応付けて記憶しており、上記装飾情報取得手段は、上記入力受付手段が受け付けた文字列に対応する装飾情報を上記記憶部から取得し、上記文字情報作成手段は、上記装飾情報取得手段が取得した装飾情報が示す装飾を、上記入力受付手段が受け付けた文字列に対応する絵文字に施した装飾絵文字を含む文字情報を作成するものであってもよい。
【００２９】
上記の構成によれば、装飾情報取得手段は、入力された文字列に対応付けられた装飾情報を記憶部から取得する。そして、文字情報作成手段は、該装飾情報が示す装飾を、入力された文字列に対応する絵文字に施した装飾絵文字を含む文字情報を作成する。よって、ユーザに対し、絵文字を入力させ、該絵文字に施す装飾を選択させるという一連の作業を行わせることなく、装飾絵文字を含む文字情報を作成することができる。
【００３０】
例えば、“太陽”の絵文字に「晴れ」とルビを付ける装飾情報に対し、文字列「はれ」を対応付けておけば、「はれ」という文字列が入力されたときに、“太陽”の絵文字に「晴れ」とルビを付ける装飾が施された装飾絵文字を含む文字情報が作成される。よって、ユーザは、自ら、“太陽”の絵文字を入力し、該絵文字に「晴れ」とルビを付ける装飾情報を選択して、「晴れ」というルビが付けられた装飾絵文字を作成させる必要がなくなる。
【００３１】
なお、文字列は複数の文字から構成されるものに限られず、１文字であってもよい。
【００３２】
本発明に係る文字情報作成装置では、上記文字情報作成手段が作成した、装飾絵文字を含む文字情報を外部の装置へ送信する送信部を備えているものであってもよい。
【００３３】
上記の構成によれば、自装置で作成した装飾絵文字を含む文字情報を外部の装置へ送信することができる。よって、外部の装置のユーザに対し、装飾絵文字を認識させることができる。
【００３４】
そして、例えば、“太陽”の絵文字に「晴れ」とルビを付けた装飾を施した装飾絵文字を含む文字情報を送信した場合、文字情報を受信した外部の装置のユーザは、当該“太陽”の絵文字が「晴れ」という意味内容で用いられているということを認識することができる。よって、絵文字の意味内容を一義的に解釈することができる。
【００３５】
なお、上記文字情報作成装置は、コンピュータによって実現してもよく、この場合には、コンピュータを上記各手段として動作させることにより上記文字情報作成装置をコンピュータにて実現させる文字情報作成装置の制御プログラム、およびそれを記録したコンピュータ読み取り可能な記録媒体も、本発明の範疇に入る。
【発明の効果】
【００３６】
以上のように、本発明に係る文字情報作成装置は、絵文字の入力を受け付ける入力受付手段と、１つの絵文字に対し複数の装飾情報を記憶している記憶部と、上記入力受付手段で受け付けた絵文字に対応して上記記憶部に記憶されている複数の装飾情報から、１つの装飾情報を取得する装飾情報取得手段と、上記装飾情報取得手段が取得した装飾情報が示す装飾を上記絵文字に施した装飾絵文字を含む文字情報を作成する文字情報作成手段と、を備えている構成である。
【００３７】
また、本発明に係る文字情報作成装置の制御方法は、文字情報作成装置の記憶部に、１つの絵文字に対し複数の装飾情報が記憶されており、絵文字の入力を受け付ける入力受付ステップと、上記入力受付ステップで受け付けた絵文字に対応して上記記憶部に記憶されている複数の装飾情報から、１つの装飾情報を取得する装飾情報取得ステップと、上記装飾情報取得ステップで取得した装飾情報が示す装飾を上記絵文字に施した装飾絵文字を含む文字情報を作成する文字情報作成ステップと、を含む方法である。
【００３８】
これにより、複数の装飾情報がそれぞれ、当該絵文字の異なる意味内容を示すものである場合、該複数の装飾情報のいずれかを用いて、絵文字の作成者が意図する意味内容を示す装飾を絵文字に対し施せば、絵文字の読み手に対し、絵文字の意味内容を一義的に解釈することができる装飾絵文字を提供することができる。
【００３９】
したがって、絵文字の作成者と読み手との間で絵文字の意味内容の解釈が異なることにより、絵文字の意味内容が誤って伝わるという弊害を防止することができる。
【図面の簡単な説明】
【００４０】
【図１】本発明の実施の形態を示すものであり、携帯電話機の要部構成を示すブロック図である。
【図２】上記実施の形態において、装飾情報記憶部に記憶されている装飾情報テーブルを示す図である。
【図３】上記実施の形態において、電子メール作成部が電子メールを作成する処理の流れを示すフローチャートである。
【図４】上記実施の形態において、電子メール作成部が電子メールを作成する処理を行うときの表示部の画面例である。
【図５】上記実施の形態において、文字情報の作成処理の流れを示すフローチャートである。
【図６】上記実施の形態において、装飾情報取得処理の流れを示すフローチャートである。
【図７】上記実施の形態において、文字コードと装飾情報インデックスとの関係を示す装飾情報インデックステーブルを示す図である。
【図８】上記実施の形態において、装飾を施した絵文字の一覧の例を示す図である。
【図９】上記実施の形態において、表示制御部の処理の流れを示すフローチャートである。
【図１０】上記実施の形態において、表示部に表示されたメール本文の表示の一例を示す図である。
【図１１】本発明の他の実施の形態を示すものであり、携帯電話機の要部構成を示すブロック図である。
【図１２】上記他の実施の形態において、装飾情報記憶部に記憶されている装飾情報テーブルを示す図である。
【図１３】上記他の実施の形態において、変換候補記憶部に記憶されている変換候補テーブルを示す図である。
【図１４】上記他の実施の形態において、文字情報作成処理の流れを示すフローチャートである。
【図１５】上記他の実施の形態において、表示部に表示される変換候補の表示例を示す図である。
【図１６】上記他の実施の形態において、属性情報が「日本語」の場合と「英語」の場合に表示される例を示す図である。
【図１７】従来技術において、絵文字が表示された状態を示す図である。
【発明を実施するための形態】
【００４１】
〔実施の形態１〕
本発明の一実施の形態について図１から図１０に基づいて説明すれば、以下のとおりである。本実施の形態に係る携帯電話機（文字情報作成装置）１は、メールを作成するときに絵文字を用いた場合、装飾後の絵文字の意味内容が一義的に解釈できるように、該絵文字に対し装飾を施すものである。これにより、絵文字を含んだメールを取得したユーザは、メールを作成したユーザが意図した絵文字の意味内容と異なる意味内容に該絵文字を解釈してしまうことを防止することができる。なお、絵文字とはイラスト風の記号の総称をいう。また、本実施の形態では、平仮名、カタカナ、漢字等の一般文字と絵文字とを含めて文字と呼ぶ。
【００４２】
なお、以下では、本実施の形態について、携帯電話機１を用いて説明するが、本発明はこれに限られるものではない。絵文字を含む文字情報を作成可能な機器であれば、どのような機器にも適用できる。
【００４３】
図１は、本実施の形態にかかる携帯電話機１の要部構成を示すブロック図である。図１に示すように、携帯電話機１は、入力部１１、表示部１２、送受信部（送信部）１３、制御部１４、および記憶部１５を含む構成である。
【００４４】
そして、記憶部１５は、情報を記憶するものであり、フラッシュメモリ、ＲＯＭ（Read Only Memory）などの不揮発性の記憶装置と、ＲＡＭ（Random Access Memory）などの揮発性の記憶装置とによって構成される。不揮発性の記憶装置に記憶される内容としては、各種プログラム、各種動作設定値、各種データなどが挙げられる。一方、揮発性の記憶装置に記憶される内容としては、作業用ファイル、テンポラリファイルなどが挙げられる。本実施の形態では、記憶部１５は、装飾情報記憶部３１を含んでいる。
【００４５】
装飾情報記憶部３１は、後述する属性情報決定部４５が決定した属性情報を記憶しているとともに、装飾情報取得部４３が取得する装飾情報を含む装飾情報テーブル２０１を記憶しているものである。
【００４６】
図２は、装飾情報テーブル２０１を示す。装飾情報とは、後述する表示制御部２２が、表示処理を行うときに、絵文字をどのように表示するかを特定するための情報である。そして、装飾情報は、絵文字に対してどのような装飾を行うかという装飾の種別を示す表示属性と、装飾の具体的な内容を特定するための属性値とからなる。また、装飾情報インデックスとは、予め定義された複数の装飾情報の特定のグループを識別するための番号である。本実施の形態では、意味内容毎に装飾情報インデックスが振られている。よって、装飾情報インデックスが同じであれば、意味内容は同じであり、装飾情報インデックスが異なれば、意味内容は異なる。
【００４７】
そして、本実施の形態では、表示属性として、「表示色」と「ルビ」とが定義されている。「表示色」は絵文字の表示色、「ルビ」は絵文字にルビを付加することを示している。また、属性値として、表示属性が「表示色」の場合は、表示する具体的な色が定義されており、表示属性が「ルビ」の場合は、付加する具体的な文言が定義されている。
【００４８】
次に属性情報（パラメータ）について説明する。属性情報はユーザによってあらかじめ設定され、設定された属性情報が装飾情報記憶部３１に記憶されている。本実施の形態では、属性情報は２種類あり、絵文字のみを表示させる「絵文字のみ」と、絵文字に加えて文字を表示する「文字＋絵文字」とがある。このように、属性情報は、絵文字を装飾した装飾絵文字の作成方法を示すものである。
【００４９】
以上のように、装飾情報を用いて絵文字に対し装飾を施すことで、ユーザに対し、多義的な絵文字を一義的に解釈させることができる。さらに、属性情報を用いることによって、ユーザは、一義的に解釈させるための装飾の方法を選択することができる。
【００５０】
そして、図２において、列２０２の数値が装飾情報インデックスの番号を示す。また、列２０３、列２０５が表示属性を示し、列２０４、列２０６が、それぞれ列２０３、列２０５の表示属性に対する属性値を示している。さらに、列２０３、列２０４は、属性情報が「絵文字のみ」の場合に使用される装飾情報であり、列２０５、列２０６は属性情報が「文字＋絵文字」の場合に使用される装飾情報である。
【００５１】
例えば、装飾情報テーブル２０１において、装飾情報インデックスが「０」の場合、意味内容は「晴れている」ということである。そして、属性情報が「絵文字のみ」だった場合、当該絵文字は、薄黄色で表示されることになる。また、属性情報が「文字＋絵文字」だった場合、当該絵文字には「晴れ」というルビが付されて表示されることになる。また、装飾情報インデックスが「１」の場合、意味内容は、「太陽」そのものである。そして、属性情報が「絵文字のみ」だった場合、当該絵文字は、黄色で表示されることになる。また、属性情報が「文字＋絵文字」だった場合、当該絵文字には「太陽」というルビが付されて表示されることになる。また、装飾インデックスが「２」の場合、意味内容は「暑い」ということである。そして、属性情報が「絵文字のみ」だった場合、当該絵文字は、赤色で表示されることになる。また、属性情報が「文字＋絵文字」だった場合、当該絵文字には「暑い」というルビが付されて表示されることになる。以下、他の装飾情報インデックスの場合も同様である。
【００５２】
入力部１１は、ユーザのデータ入力を受け付けるための入力デバイスである。入力部１１を介してユーザがデータ入力を行うことにより、入力されたデータが制御部１４に通知される。この入力部１１の例としては、キーボード、テンキー、各種機能キー等が挙げられる。
【００５３】
表示部１２は、表示制御部２２からの指示に基づき、制御部１４における、各種の処理の結果を表示するためのデバイスである。この表示部１２としては、情報の表示が可能な表示デバイスであればどのようなデバイスによって実現されてもよいが、具体的な例としては、液晶ディスプレイ、有機ＥＬ（Electro Luminescence）ディスプレイ、プラズマディスプレイが挙げられる。
【００５４】
送受信部１３は、電子メール等の各種データを図示しない他の情報処理装置との間で送受信するためのデバイスである。
【００５５】
制御部１４は、携帯電話機１における各種処理を制御するものである。そして、制御部１４は、入力受付部（入力受付手段）２１、表示制御部２２、電子メール作成部２３、および電子メール送受信部２４を含む構成である。さらに、電子メール作成部２３は、文字変換部４１、絵文字判定部４２、装飾情報取得部（装飾情報取得手段）４３、文字情報作成部（文字情報作成手段）４４、および属性情報決定部４５を含む構成である。
【００５６】
入力受付部２１は、入力部１１で受け付けたデータを電子メール作成部２３へ通知するものである。
【００５７】
表示制御部２２は、電子メール作成部２３によって作成された電子メール、あるいは後述する電子メール送受信部２４で受信したメールを構成する各種テキストを表示部１２に表示させるものである。また、表示制御部２２は、テキストに含まれている絵文字が装飾されている場合、該絵文字を装飾された状態で表示部１２に表示させる。
【００５８】
電子メール作成部２３は、入力部１１を介してユーザにより入力されたデータに基づき、電子メールを作成するものである。
【００５９】
文字変換部４１は、入力部１１を介してユーザから入力されたデータを文字、あるいは絵文字に変換するものである。
【００６０】
絵文字判定部４２は、文字変換部４１が変換した文字が絵文字か否かを判断するものである。絵文字か否かは、文字コードで判断する。
【００６１】
装飾情報取得部４３は、文字変換部４１によって変換された絵文字に対する装飾情報を、装飾情報記憶部３１に記憶されている装飾情報テーブル２０１から取得するものである。具体的な装飾情報の取得方法については後述する。
【００６２】
文字情報作成部４４は、絵文字が、装飾情報取得部４３が取得した装飾情報が示す装飾が施された表示となるように、文字情報を作成するものである。
【００６３】
属性情報決定部４５は、入力部１１を介してユーザにより入力された属性情報を決定し、装飾情報記憶部３１に記憶させるものである。
【００６４】
電子メール送受信部２４は、電子メール作成部２３によって作成された電子メールを、電子メールに含まれる宛先に送受信部１３を介して送信するとともに、送受信部１３を介して受信した電子メールを記憶部１５に記憶するものである。また、受信した電子メールを表示制御部２２へ送信するものである。
【００６５】
次に、携帯電話機１の各部の処理の流れについて、図３〜図１０を用いて説明する。図３は、電子メール作成部２３が電子メールを作成する処理の流れを示すフローチャートである。また、図４は、電子メール作成部２３が電子メールを作成する処理を行うときの表示部１２の画面例である。
【００６６】
ユーザが電子メールを送信する場合、電子メール作成部２３によって実現される機能によって電子メールを作成し、作成された電子メールを、送受信部１３が送信する。ここで、電子メールとは電子メールの送信先を示す宛先アドレス、電子メールの送信元を示す送信元アドレス、タイトル、および本文からなる電子的なデータである。
【００６７】
図３に示すように、電子メール作成部２３は、まず、宛先アドレスの入力をユーザに対して促す画面(宛先アドレス入力画面４０１)を表示部１２に表示する。そして、入力部１１を介してユーザから入力されたデータを、宛先アドレスとして取得する（Ｓ３１）。宛先アドレス入力画面４０１の例を、図４の（ａ）に示す。宛先アドレス入力画面４０１では、画面中央に矩形部で示す宛先入力欄４０５にユーザから入力された宛先アドレスを表示する。そして、入力部１１を介して、入力が完了したことを意味する「決定」に対応する入力データを受け取ると、宛先アドレスの取得が完了する。
【００６８】
次に、タイトルの入力をユーザに対して促す画面（タイトル入力画面４０２）を表示部１２に表示させ、入力部１１を介してユーザから入力されたデータを、タイトルとして取得する（Ｓ３２）。タイトル入力画面４０２の例を、図４の（ｂ）に示す。タイトル入力画面４０２では、画面中央に矩形部で示すタイトル入力欄４０６にユーザから入力されたタイトルを表示する。そして、入力部１１から入力が完了したことを意味する「決定」に対応する入力データを受け取ると、タイトルの取得が完了する。
【００６９】
次に、本文の入力をユーザに対して促す画面（本文入力画面４０３）を表示部１２に表示させ、入力部１１を介してユーザから入力されたデータ、および文字情報作成部４４によって作成された装飾された絵文字を、本文として取得する（Ｓ３３）。本文入力画面４０３の例を、図４の（ｃ）に示す。本文入力画面４０３では、画面中央に矩形部で示す本文入力欄４０７にユーザから入力された本文を表示する。そして、入力部１１から入力が完了したことを意味する「決定」に対応する入力データを受け取ると、本文の取得が完了する。
【００７０】
最後に、記憶部１５に記憶されている送信元アドレスを取得し（Ｓ３４）、電子メール作成部２３の処理は終了する。なお、送信元アドレスはユーザによって自由に決定できる。また、本実施の形態では、送信元アドレスは、電子メールを作成する前に記憶部１５に記憶されている。また、電子メール作成部２３によって作成された電子メールは、記憶部１５の一時的に記憶される領域に蓄積される。
【００７１】
次に、電子メール作成部２３における文字情報の作成処理について説明する。図５は、文字情報の作成処理の流れを示すフローチャートである。まず、文字変換部４１は、入力部１１を介してユーザが入力したデータを受け付け、文字に変換する（Ｓ５１、入力受付ステップ）。具体的には、ユーザによって入力部１１が操作されると、操作に対応したコードが入力データとして入力される。この入力データを対応づけられた文字に変換する。本実施例では、コードに対応づけられる文字は、一般的な文字（アルファベット、漢字、カタカナ等）および絵文字を含むものである。
【００７２】
次に、絵文字判定部４２は、文字変換部４１が変換した文字が絵文字であるかどうかを判定する（Ｓ５２）。絵文字であるか否かを判定は、入力部１１を介して入力されたコードが絵文字に対応するものか否かで行う。そして、絵文字でなければ（Ｓ５２でＮＯ）、文字情報作成部４４は、取得した文字を入力文字として文字情報を作成する（Ｓ５４）。一方、絵文字であった場合は（Ｓ５２でＹＥＳ）、装飾情報取得処理を行う（Ｓ５３、装飾情報取得ステップ）。装飾情報取得処理については後述する。そして、文字情報作成部４４は、入力された絵文字を、装飾情報が示す装飾が施された装飾絵文字として文字情報を作成する（Ｓ５５、文字情報作成ステップ）。
【００７３】
そして、全ての文字について、文字入力が終了すると（Ｓ５６でＹＥＳ）、文字情報作成処理が終了する。
【００７４】
次に、装飾情報取得処理について、図６を用いて説明する。図６は、装飾情報取得処理の流れを示すフローチャートである。また、図７は、文字コードと装飾情報インデックスとの関係を示す装飾情報インデックステーブル７０１を示す図である。
【００７５】
まず、装飾情報取得部４３は、図５のステップＳ５２で取得した絵文字に対応づけられた装飾情報インデックスを取得する（Ｓ６１）。絵文字に対応づけられた装飾情報インデックスはあらかじめ装飾情報記憶部３１に記録されている装飾情報インデックステーブル７０１から取得する。図１２に示すように、装飾情報インデックステーブル７０１には、絵文字を特定する絵文字コード毎に、対応づけられた装飾情報インデックスの個数と、装飾情報インデックスとが記録されている。
【００７６】
次に、装飾情報取得部４３は、装飾情報記憶部３１から属性情報を取得する（Ｓ６２）。そして、取得した各装飾情報インデックスに対応した装飾情報のうち、取得した属性情報に対応した装飾情報を取得し、装飾を施した絵文字の一覧を表示部１２に表示させる（Ｓ６３）。このときの表示例を図８に示す。図８は、装飾を施した絵文字の一覧の例を示す図である。図８に示す例では、属性情報は、「文字＋絵文字」であり、“太陽”の絵文字に対し、それぞれ、「晴れ」のルビが付された装飾絵文字８０１、「太陽」のルビが付された装飾絵文字８０２、「暑い」のルビが付された装飾絵文字８０３、「昼」のルビが付された装飾絵文字８０４を示している。
【００７７】
なお、絵文字に対応づけられた装飾情報インデックスの個数が０の場合は何も表示せずに処理を終了する。
【００７８】
次に、装飾情報取得部４３は、一覧表示されている装飾が施された絵文字の中から、ユーザの選択を受け付ける（Ｓ６４）。そして、ユーザが選択した絵文字の表示に使用した装飾情報に対応する装飾情報インデックスを取得する（Ｓ６５）。以上で、装飾情報取得処理が終了する。なお、この処理で取得される装飾情報インデックスはデフォルトになる。また、デフォルトの装飾情報インデックスが選択された場合は、絵文字に対する装飾処理を行わないものであってもよい。
【００７９】
なお、装飾情報を取得は上記の方法に限られるものではなく、例えば、入力された文字列の文脈を判断し、判断した文脈に最も適した装飾情報を取得するものであってもよい。
【００８０】
次に、図９を用いて表示制御部２２における処理の流れを説明する。図９は、表示制御部２２の処理の流れを示すフローチャートである。なお、ここでは、外部から電子メールを受信し、該電子メールを表示する場合等、文字コードを取得して表示を行う処理の流れについて説明する。
【００８１】
まず、表示制御部２２は、表示対象である文字情報から処理対象となる文字コードを取得する（Ｓ９１）。ここで、文字コードとは、文字、あるいは絵文字を識別するためのコード値である。例えば、「あ」という文字には８２Ａ０（１６進数）というコード値が割り当てられている。
【００８２】
次に、取得した文字コードから、その文字コードに対応する文字が絵文字であるか否かを判別する（Ｓ９２）。そして、絵文字でなければ（Ｓ９２でＮＯ）、一般の文字として表示する（Ｓ９３）。一方、絵文字であれば（Ｓ９２でＹＥＳ）、当該絵文字の装飾情報インデックスを取得する（Ｓ９４）。そして装飾情報インデックスに対応した装飾を施した絵文字を表示する（Ｓ９５）。
【００８３】
そして、取得した全ての文字コードについて上記処理が終了すると（Ｓ９６でＹＥＳ）、表示制御部２２の処理は終了する。
【００８４】
次に、電子メールの送受信、および閲覧について説明する。電子メール作成部２３によって作成された電子メールは、電子メール送受信部２４によって、送受信部１３を介して図示しないメールサーバーに向けて送信される。また、図示しない他の装置から携帯電話機１に向けて送信された電子メールは、一旦メールサーバーに蓄積される。蓄積された電子メールはメールサーバーから送受信部１３によって受信され、電子メール送受信部２４によって、記憶部１５の所定に場所に記憶されるとともに、表示部１２に電子メールを受信したことを示すアイコンを表示する。
【００８５】
また、ユーザが、受信した電子メールを閲覧する場合は、記憶部１５に記憶された電子メールのタイトルや送信者等のリストを表示部１２に表示し、ユーザに選択させる。そして、選択された電子メールは、表示制御部２２によって表示部１２に表示される。
【００８６】
以上のような構成によれば、絵文字の意味が一義的に解釈できるような装飾が絵文字に施させれ、従来技術のように絵文字だけが表示されるということはない。よって、絵文字を含む電子メールを取得したユーザが、該絵文字の意味内容を、作成者が意図した絵文字の意味内容と異なる解釈をしてしまうという弊害を防止することができる。
【００８７】
図１０を用いて具体的に説明する。図１０は、表示部１２に表示されたメール本文の表示の一例を示す図である。図１０の（ａ）は、“太陽”の絵文字に対し、図２に示す装飾情報テーブル２０１における装飾情報インデックスが「２」の装飾が施され、属性情報が「文字＋絵文字」の場合を示している。また、図１０の（ｂ）は、“太陽”の絵文字に対し、図２に示す装飾情報テーブル２０１における装飾情報インデックスが「０」の装飾が施され、属性情報が「文字＋絵文字」の場合を示している。
【００８８】
図１０の（ａ）、（ｂ）に示すように、“太陽”の絵文字の下にそれぞれ「暑い」、「晴れ」というルビが付されているため、図１０の（ａ）の文章を読んだユーザが、今日は、「暑いのか」、それとも「晴れているのか」、いずれの意味で“太陽”の絵文字が使用されているのか判断できなくなることがなく、「暑い」ということを示していると一義的に解釈することができる。同様に、図１０の（ｂ）に示す例も、「晴れ」ているという意味で用いているのか、「昼」という意味で用いているのか、判断できなくなることはなく、「晴れ」という意味で用いているということを一義的に解釈することができる。
【００８９】
〔実施の形態２〕
本発明の他の実施の形態について図１１から図１６に基づいて説明すれば、以下のとおりである。なお、説明の便宜上、上記の実施の形態１において示した部材と同一の機能を有する部材には、同一の符号を付し、その説明を省略する。
【００９０】
本実施の形態において、上記実施の形態１と異なるのは、電子メール作成部２３に、文字変換部４１の代わりに文字変換部４６が備えられ、絵文字判定部４２、装飾情報取得部４３が備えられていない点、記憶部１５に変換候補記憶部３２が含まれている点、および装飾情報記憶部３１に記憶されている装飾情報テーブルが異なる点である。
【００９１】
図１１に、本実施の形態に係る携帯電話機１の要部構成を示すブロック図を示す。変換候補記憶部３２は、文字変換部４６が後述するかな漢字変換処理を行うときに用いる変換候補が記憶されている。
【００９２】
装飾情報記憶部３１に記憶されている装飾情報テーブル１２０１について図１２を用いて説明する。図１２は、装飾情報テーブル１２０１を示す図である。装飾情報テーブル１２０１において、装飾情報テーブル２０１と異なるのは、属性情報が示す言語を指定するものである点である。装飾情報テーブル１２０１では、「日本語」か「英語」の２種類の言語が定義されている。そして、装飾情報テーブル２０１と同様に、装飾情報テーブル１２０１の列１２０２は装飾情報インデックスを識別するための番号である。また、列１２０３、列１２０４は属性情報が「日本語」の場合に使用される装飾情報であり、列１２０５、１２０６は属性情報が「英語」の場合に使用される装飾情報である。
【００９３】
図１６に、属性情報が「日本語」の場合と「英語」の場合に表示される例を示す。装飾情報テーブル１２０１における装飾情報インデックスが「０」のときに、属性情報が「日本語」の場合、図１６の（ａ）に示すように、“太陽”の絵文字に対し、「晴れ」というルビが付された状態で表示される。また、属性情報が「英語」の場合、図１６の（ｂ）に示すように、“太陽”の絵文字に対し、「Ｆｉｎｅ」というルビが付された状態で表示される。
【００９４】
次に、変換候補記憶部３２に記憶されている変換候補テーブル１３０１について、図１３を用いて説明する。図１３は、変換候補テーブル１３０１を示す図である。
【００９５】
変換候補テーブル１３０１は、変換元の文字列に対する変換候補の数、および変換候補のリスト（変換候補の数だけ保持されている）のデータである。変換候補テーブル１３０１では、例えば、変換元文字列が「たいよう」の場合、変換候補数は４で、変換候補は「太陽」、「耐用」、「態様」、および「“太陽”の絵文字」がある。そして、“太陽”の絵文字の後ろに示されている括弧付きの数字が、装飾情報テーブル１２０１に示す装飾情報インデックスを表している。そして、変換候補として絵文字が表示される場合は、括弧内の数字が示す装飾情報インデックスと、予め決定されている属性情報とに基づき、装飾情報テーブル１２０１から装飾情報を取得し、取得した装飾情報に基づいて装飾を施した絵文字の表示を行う。
【００９６】
よって、変換元文字列が「たいよう」の場合は、“太陽”の絵文字に付されている装飾情報インデックスは「１」なので、属性情報が「日本語」の場合は、“太陽”の絵文字に対し、「太陽」のルビが付された変換候補が表示され、属性情報が「英語」の場合は、“太陽”の絵文字に対し、「Ｔｈｅ  ｓｕｎ」のルビが付された変換候補が表示される。
【００９７】
文字変換部４６は、入力部１１を介してユーザから入力されたデータを文字に変換するとともに、変換した文字列をかな漢字変換処理により他の文字列または絵文字に変換するものである。そして、変換候補は、図１３に示した変換候補テーブル１３０１から取得する。
【００９８】
次に、電子メール作成部２５における文字情報の作成処理の流れについて図１４を用いて説明する。図１４は、電子メール作成部２５における文字情報の作成処理の流れを示すフローチャートである。
【００９９】
まず、入力部１１を介して取得した入力データを文字列（１つ以上の文字からなる文字の列）に変換する（Ｓ１４０１）。具体的には、ユーザによって入力部１１が操作されると、操作に対応したコードが入力データとして入力される。この入力データを対応づけられた文字に変換する。本実施の形態では、コードに対応づけられる文字は、一般的な文字（アルファベット、漢字、カタカナ等）を含むものである。
【０１００】
次に、文字変換部４６は、ステップＳ１４０１で取得した文字列を、かな漢字変換処理により他の文字列に変換する（Ｓ１４０２）。かな漢字変換処理は、変換元の文字列に対する１つ以上の変換候補を、表示部１２に表示することによってユーザに提示し、入力部１１を介してユーザに選択させることによって行う。図１５に変換候補の表示例を示す。図１５には、属性情報が「日本語」の場合の、「たいよう」の変換候補を表示した例を示している。ユーザは、図１５に示された変換候補の中から１つを選択する。
【０１０１】
次に、文字変換部４６は、変換後の文字列が、絵文字であるかどうかを判定し（Ｓ１４０３）、絵文字でなければ（Ｓ１４０３でＮＯ）、文字情報作成部４４は、変換された文字列を入力文字列として文字情報を作成する（Ｓ１４０５）。一方、絵文字であれば（Ｓ１４０３でＹＥＳ）、絵文字に装飾情報インデックスが示す装飾が施された装飾絵文字を入力文字列として文字情報を作成する（Ｓ１４０４）。
【０１０２】
そして、全ての入力文字列について処理が終了すると（Ｓ１４０６でＹＥＳ）、文字情報の作成処理が終了する。
【０１０３】
以上のように、本実施の形態では、入力された文字列に対応したルビが付された絵文字が変換候補として表示される。これにより、従来技術のように、絵文字のみがそのまま表示されることがなく、絵文字を見たユーザは、絵文字の意味内容を一義的に解釈することができる。
【０１０４】
本発明は上述した各実施の形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０１０５】
最後に、携帯電話機１の各ブロック、特に入力受付部２１、表示制御部２２、電子メール作成部２３の各部、および電子メール送受信部２４は、ハードウェアロジックによって構成してもよいし、次のようにＣＰＵ（central processing unit）を用いてソフトウェアによって実現してもよい。
【０１０６】
すなわち、携帯電話機１は、各機能を実現する制御プログラムの命令を実行するＣＰＵ、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである携帯電話機１の制御プログラムのプログラムコード（実行形式プログラム、中間コードプログラム、ソースプログラム）をコンピュータで読み取り可能に記録した記録媒体を、上記携帯電話機１に供給し、そのコンピュータ（またはＣＰＵやＭＰＵ（microprocessor unit））が記録媒体に記録されているプログラムコードを読み出し実行することによっても、達成可能である。
【０１０７】
上記記録媒体としては、例えば、磁気テープやカセットテープ等のテープ系、フロッピー（登録商標）ディスク／ハードディスク等の磁気ディスクやＣＤ−ＲＯＭ（compact disc read-only memory）／ＭＯ（magneto-optical）／ＭＤ（Mini Disc）／ＤＶＤ（digital versatile disk）／ＣＤ−Ｒ（CD Recordable）等の光ディスクを含むディスク系、ＩＣカード（メモリカードを含む）／光カード等のカード系、あるいはマスクＲＯＭ／ＥＰＲＯＭ（erasable programmable read-only memory）／ＥＥＰＲＯＭ（electrically erasable and programmable read-only memory）／フラッシュＲＯＭ等の半導体メモリ系などを用いることができる。
【０１０８】
また、携帯電話機１を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ（local area network）、ＩＳＤＮ（integrated services digital network）、ＶＡＮ（value-added network）、ＣＡＴＶ（community antenna television）通信網、仮想専用網（virtual private network）、電話回線網、移動体通信網、衛星通信網等が利用可能である。また、通信ネットワークを構成する伝送媒体としては、特に限定されず、例えば、ＩＥＥＥ（institute of electrical and electronic engineers）１３９４、ＵＳＢ、電力線搬送、ケーブルＴＶ回線、電話線、ＡＤＳＬ（asynchronous digital subscriber loop）回線等の有線でも、ＩｒＤＡ（infrared data association）やリモコンのような赤外線、Ｂｌｕｅｔｏｏｔｈ（登録商標）、８０２．１１無線、ＨＤＲ（high data rate）、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０１０９】
絵文字を一義的に解釈できる表示を行うことができるので、絵文字を含む文章を作成する装置、例えば、電子メールの送受信機能を備えた携帯電話機に好適である。
【符号の説明】
【０１１０】
１    携帯電話機（文字情報作成装置）
１１    入力部
１２    表示部
１３    送受信部（送信部）
１４    制御部
１５    記憶部
２１    入力受付部（入力受付手段）
２３    電子メール作成部
２４    電子メール送受信部（送信部）
３１    装飾情報記憶部（記憶部）
４３    装飾情報取得部（装飾情報取得手段）
４４    文字情報作成部（文字情報作成手段）
【図１】
2010287961.tif 000003
【図２】
2010287961.tif 000004
【図３】
2010287961.tif 000005
【図４】
2010287961.tif 000006
【図５】
2010287961.tif 000007
【図６】
2010287961.tif 000008
【図７】
2010287961.tif 000009
【図８】
2010287961.tif 000010
【図９】
2010287961.tif 000011
【図１０】
2010287961.tif 000012
【図１１】
2010287961.tif 000013
【図１２】
2010287961.tif 000014
【図１３】
2010287961.tif 000015
【図１４】
2010287961.tif 000016
【図１５】
2010287961.tif 000017
【図１６】
2010287961.tif 000018
【図１７】
2010287961.tif 000019